(57)【要約】【課題】居室機のモニタに来客者の画像を名前と共に表示させ、また、居室機のモニタで来客者の履歴などを検索・閲覧する。【解決手段】居室内に設置される居室機１ａ、１ｂと、居室毎に設置される居室主装置２ａ、２ｂと、居室入口に設置されるカメラ付玄関子機３ａ、３ｂと、集合住宅の入口毎に設置されるカメラ付集合玄関機４と、カメラ付集合玄関機毎に設置される集合玄関主装置５と、居室主装置及び集合玄関主装置を制御する制御機６とを備え、カメラ付集合玄関機又はカメラ付玄関子機で来客等の呼出があった場合、カメラ付集合玄関機又はカメラ付玄関子機で撮像された来客等の画像を制御機を通じて録画するサーバー７を備える。【選択図】図１
2004120521.tif 000002
【特許請求の範囲】
【請求項１】
居室内に設置される居室機（１ａ、１ｂ）と、居室入口に設置されるカメラ付玄関子機（３ａ、３ｂ）と、集合住宅の入口毎に設置されるカメラ付集合玄関機（４）と、前記居室機及び前記カメラ付玄関子機を制御する制御機（６）とを備え、
前記カメラ付集合玄関機又は前記カメラ付玄関子機で来客等の呼出があった場合、前記カメラ付集合玄関機又は前記カメラ付玄関子機で撮像された来客等の画像を前記制御機を通じて録画するサーバー（７）を備えたことを特徴とする集合住宅用インターホンシステム。
【請求項２】
前記サーバーは、前記カメラ付集合玄関機又は前記カメラ付玄関子機で来客等の呼出があった場合、以前に録画された画像を画像処理して顔を識別し、居住者で名前を登録することにより、次回来訪時に名前と同時に画像を前記居室機に表示し、名前データも同時に録画するものであることを特徴とする請求項１記載の集合住宅用インターホンシステム。
【請求項３】
前記サーバーは、前記カメラ付集合玄関機又は前記カメラ付玄関子機で来客等の呼出があった場合、以前に録画された画像を画像処理して顔を識別し、居住者で名前を登録することで来客等の履歴をデータベース化し、前記居室機にて画面上で検索、閲覧するものであることを特徴とする請求項１記載の集合住宅用インターホンシステム。
【請求項４】
前記サーバーは、前記カメラ付集合玄関機でオートロックドア（８）の暗証番号解錠を行う場合、以前に録画された画像を画像処理して顔を識別し、暗証番号と共に居住者で登録することにより、不正解錠のチェックをするものであることを特徴とする請求項２又は請求項３記載の集合住宅用インターホンシステム。
【請求項５】
前記サーバーは、前記カメラ付集合玄関機でオートロックドア（８）の非接触キー解錠又は一般キー解錠を行う場合、以前に録画された画像を画像処理して顔を識別し、キー解錠情報と共に居住者で登録することにより、居室機にて解錠確認音と名前を表示又は音声合成音で誰が解錠したかを知らせるものであることを特徴とする請求項２乃至請求項４何れか１項記載の集合住宅用インターホンシステム。
【請求項６】
前記サーバーは、前記カメラ付集合玄関機又は前記カメラ付玄関子機で来客等の呼出があった場合、又は前記カメラ付集合玄関機で前記オートロックドアの暗証番号解錠、非接触キー解錠若しくは一般キー解錠を行う場合、以前に録画された画像を画像処理して顔を識別し来訪拒絶設定をすることにより、次回来訪時に前記居室機にて拒絶時の呼出音の鳴動若しくは非鳴動により、訪問販売やストーカー等の被害を事前に無くし、来客等の顔を知らない家族にも予め警告できるものであることを特徴とする請求項２乃至請求項５何れか１項記載の集合住宅用インターホンシステム。
【発明の詳細な説明】
【０００１】
【発明の属する技術分野】
本発明は、集合住宅用インターホンシステムに係わり、特に、居室機のモニタに来客者の画像を名前と共に表示でき、また居室機のモニタで来客者の履歴などを検索・閲覧することができる集合住宅用インターホンシステムに関する。
【０００２】
【従来の技術】
従来から、この種の集合住宅用インターホンシステムとして、集合玄関に設置され、来客者を撮影するＴＶカメラユニットを設けた集合玄関機と、各居室に設置され、集合玄関機のＴＶカメラユニットで撮影された来客者の映像をモニタし、来客者と通話する居室機と、集合玄関機と伝送路を介して接続され、居室機と幹線、分岐器及び分岐線を介して接続され、コンピュータ装置と伝送路を介して接続された主装置とを備えて成るものが知られている。（例えば、特許文献１参照）
【特許文献１】特開平１１−２２０７２３号公報　（段落番号００１６〜段落番号００３９、図１）
【０００３】
【発明が解決しようとする課題】
しかしながら、この集合住宅用インターホンシステムにおいては、カメラ付集合玄関機からの画像が来客者の名前と共に登録されていないことから、次回来訪時に居室機のモニタに来客者の名前を画像と共に表示することができず、また居室機のモニタで来客者の履歴などを検索・閲覧することができないという難点があった。また、玄関子機に来客者を撮影するカメラが設けられていないため、玄関子機を操作する来客者の画像を居室機のモニタで見ることができないという難点があった。
【０００４】
本発明は、このような難点を解消するためになされたもので、サーバーに、カメラ付集合玄関機やカメラ付玄関子機で撮像された来客者の名前を画像と共に録画することにより、居室機のモニタに来客者の画像を名前と共に表示することができ、また、居室機のモニタで来客者の履歴などを検索・閲覧することができる集合住宅用インターホンシステムを提供することを目的としている。
【０００５】
【課題を解決するための手段】
このような目的を達成するため、本発明の集合住宅用インターホンシステムは、居室内に設置される居室機と、居室入口に設置されるカメラ付玄関子機と、集合住宅の入口毎に設置されるカメラ付集合玄関機と、居室機及びカメラ付集合玄関機を制御する制御機とを備え、カメラ付集合玄関機又はカメラ付玄関子機で来客等の呼出があった場合、カメラ付集合玄関機又はカメラ付玄関子機で撮像された来客等の画像を制御機を通じて録画するサーバーを備えている。
【０００６】
また、本発明の集合住宅用インターホンシステムにおけるサーバーは、カメラ付集合玄関機又はカメラ付玄関子機で来客等の呼出があった場合、以前に録画された画像を画像処理して顔を識別し、居住者で名前を登録することにより、次回来訪時に名前と同時に画像を居室機に表示し、名前データも同時に録画するように構成されている。
【０００７】
また、本発明の集合住宅用インターホンシステムにおけるサーバーは、カメラ付集合玄関機又はカメラ付玄関子機で来客等の呼出があった場合、以前に録画された画像を画像処理して顔を識別し、居住者で名前を登録することで来客等の履歴をデータベース化し、居室機で画面上で検索、閲覧できるように構成されている。
【０００８】
また、本発明の集合住宅用インターホンシステムにおけるサーバーは、カメラ付集合玄関機でオートロックドアの暗証番号解錠を行う場合、以前に録画された画像を画像処理して顔を識別し、暗証番号と共に居住者で登録することにより、不正解錠のチェックができるように構成されている。
【０００９】
また、本発明の集合住宅用インターホンシステムにおけるサーバーは、カメラ付集合玄関機でオートロックドアの非接触キー解錠又は一般キー解錠を行う場合、以前に録画された画像を画像処理して顔を識別し、キー解錠情報と共に居住者で登録することにより、居室機にて解錠確認音と名前を表示又は音声合成音で誰が解錠したかを知らせことができるように構成されている。
【００１０】
また、本発明の集合住宅用インターホンシステムにおけるサーバーは、カメラ付集合玄関機又はカメラ付玄関子機で来客等の呼出があった場合、又はカメラ付集合玄関機でオートロックドアの暗証番号解錠、非接触キー解錠若しくは一般キー解錠を行う場合、以前に録画された画像を画像処理して顔を識別し来訪拒絶設定をすることにより、次回来訪時に居室機で拒絶時の呼出音の鳴動若しくは非鳴動により、訪問販売やストーカー等の被害を事前に無くし、来客等の顔を知らない家族にも予め警告できるように構成されている。
【００１１】
本発明の集合住宅用インターホンシステムによれば、サーバーに、カメラ付集合玄関機やカメラ付玄関子機で撮像された来客者の名前が画像と共に録画されていることから、居室機のモニタに来客者の画像を名前と共に表示でき、また、居室機のモニタで来客者の履歴などを検索・閲覧することができる。
【００１２】
【発明の実施の形態】
以下、本発明の集合住宅用インターホンシステムの好ましい実施の形態例を、図面を参照して詳述する。ここで、図１は、本発明の集合住宅用インターホンシステムのシステム構成図、図２は、本発明の集合住宅用インターホンシステムにおけるサーバーのブロック図を示している。
【００１３】
図１において、本発明の集合住宅用インターホンシステムは、居室内に設置される居室機１ａ、１ｂと、居室毎に設置される居室主装置２ａ、２ｂと、居室入口に設置されるカメラ付玄関子機３ａ、３ｂと、集合住宅の入口毎に設置されるカメラ付集合玄関機４と、カメラ付集合玄関機４毎に設置される集合玄関主装置５と、居室主装置２ａ、２ｂ及び集合玄関主装置５を制御する制御機６と、カメラ付集合玄関機４又はカメラ付玄関子機３ａ、３ｂで撮像された来客等の画像を制御機６を通じて録画するサーバー７と、集合住宅のエントランスに設置されるオートロックドア８とを備えている。ここで、制御機６は、第１の伝送路Ｌ１を介して居室主装置２ａ、２ｂに、第２の伝送路Ｌ２を介して集合玄関主装置５に、第３の伝送路Ｌ３を介してサーバー７に、第４の伝送路Ｌ４を介してオートロックドア８にそれぞれ接続され、各居室主装置２ａ、２ｂにはそれぞれ対応する居室機１ａ、１ｂが、集合玄関主装置５にはカメラ付集合玄関機４がそれぞれ接続されている。
【００１４】
各居室機１ａ、１ｂは、それぞれ同様の構成とされ、カメラ付集合玄関機４やカメラ付玄関子機３ａ、３ｂからの画像を出画等するためのブラウン管や液晶装置などから成るモニタ１１と、居室機スピーカと居室機マイクから構成される通話部１２とを備えている。
【００１５】
各カメラ付玄関子機３ａ、３ｂは、それぞれ同様の構成とされ、来客者を撮像するための子機カメラ３１と、子機スピーカ３２と、子機マイク３３と、子機呼出ボタン３４とを備えている。
【００１６】
カメラ付集合玄関機４は、来客者を撮像するための集合玄関機カメラ４１と、タッチパネルやテンキーなどから成る呼出操作部４２と、集合玄関機スピーカ４３と、集合玄関機マイク４４と、非接触キー又は一般キーにてオートロックドア８の解錠を行うためのキー操作部４５とを備えている。
【００１７】
サーバーは、図２に示すように、制御機６とデータの送受信を行なうデータ送受信部７１と、制御機６から送られてくる画像データなどを記憶する第１〜第３のメモリ７２ａ〜７２ｃと、第１〜第３のメモリ７２ａ〜７２ｃに記憶されている画像データなどを読み出し、来客者の識別を行なうデータ識別部７３と、各部（回路）を制御するＣＰＵ７４（以下「サーバーＣＰＵ７４」という。）とを備えている。ここで、サーバーＣＰＵ７４は、データ送受信部７１、第１〜第３のメモリ７２ａ〜７２ｃ及びデータ識別部７３に接続され、データ送受信部７１には第３の伝送路Ｌ３を介して制御機６が接続されている。
【００１８】
このような構成の集合住宅用インターホンシステムにおいて、来客者が、例えば、居室機１ａ（以下「第１の居室機１ａ」という。）に係る住戸内の居住者（以下「第１の居住者」という。）を呼出すために、カメラ付集合玄関機４の呼出操作部４２で第１の居室機１ａの部屋番号を選択し、集合玄関機呼出ボタン（不図示）を操作すると、呼出信号（以下「第１の呼出信号」という。）が集合玄関主装置５、第２の伝送路Ｌ２、制御機６、第１の伝送路Ｌ１及び第１の居室機１ａに対応する居室主装置２ａ（以下「第１の居室主装置２ａ」という。）を介して第１の居室機１ａへ伝送される。そして、この第１の呼出信号が第１の居室機１ａの居室機ＣＰＵ（不図示）で検出されると、当該居室機ＣＰＵ（以下「第１の居室機ＣＰＵ」という。）の制御により、第１の居室機１ａに係る通話部１２（以下「第１の通話部１２」という。）を構成する居室機スピーカ（以下「第１の居室機スピーカ」という。）から呼出音が鳴動する。
【００１９】
一方、集合玄関機カメラ４で撮像された来客者の画像は、画像処理され画像データ（以下「第１の画像データ」という。）として前述の第１の呼出信号と同様の経路を経由して第１の居室機１ａへ伝送される。これにより、第１の居室機１ａに係るモニタ１１（以下「第１のモニタ１１」という。）に来客者の画像が映し出される。
【００２０】
ここで、第１の居住者が来客者の画像を確認し、次のような操作をすることにより、サーバー７に来客者の画像と共に各種のデータを保存することができる。
【００２１】
第１に、来客者が第１の居住者の友人、知人等である場合において、第１の居住者が当該画像に来客者の名前、愛称若しくは社名などの名前データを付加して登録ボタン（不図示）を操作すると、第１の居室機１ａから当該来客者の名前が付加された来客者の画像データ（以下「第１の画像・名前データ」という。）が出力され、この第１の画像・名前データが第１の居室主装置２ａ、第１の伝送路Ｌ１、制御機６及び第３の伝送路Ｌ３を介してサーバー７のデータ送受信部７１へ伝送される。そして、かかる第１の画像・名前データがサーバーＣＰＵ７４で検出されると、サーバーＣＰＵ７４の制御により、来客者の画像が名前データと共に第１のメモリ７２ａへ保存される。
【００２２】
第２に、来客者が訪問販売人やストーカーなどである場合において、第１の居住者が来客者の画像を確認し、当該画像に来訪拒絶のデータを付加して登録ボタンを操作すると、第１の居室機１ａから来訪拒絶と設定された来客者の画像データ（以下「第１の画像・来訪拒絶データ」という。）が出力され、この第１の画像・来訪拒絶データが前述の第１の画像・名前データと同様の経路を経由してサーバー７のデータ送受信部７１へ伝送される。そして、かかる第１の画像・来訪拒絶データがサーバーＣＰＵ７４で検出されると、サーバーＣＰＵ７４の制御により、来客者の画像が来訪拒絶データと共に第２のメモリ７２ｂへ保存される。
【００２３】
以上のようにして、カメラ付集合玄関機４から来客等の呼出がある毎に、第１の居室機１ａで来客者の画像に名前や来訪拒絶などの各種データを付加し、これをサーバー７に録画することで来客等の履歴がデータベース化される。これにより、第１の居住者は検索・閲覧ボタン（不図示）を操作することにより、第１のモニタ１１の画面上において、来客者の検索、閲覧を行なうことができる。
【００２４】
次に、第１の居住者が、第１の居室機スピーカから放音される呼出音及び第１のモニタ１１に表示される画像に基づいて来客者を確認して、通話ボタン（不図示）を操作すると、第１の通話部１２と、集合玄関機スピーカ４３及び集合玄関機マイク４４間に通話路が形成され、これにより、来客者と第１の居住者間で通話することができる。
【００２５】
また、通話中において、第１の居住者が解錠ボタン（不図示）を操作すると、第１の居室機ＣＰＵから、解錠信号が出力され、この解錠信号が、前述の第１の画像・名前データと同様の経路を経由して制御機６へ送出される。そして、かかる解錠信号が制御機６の制御機ＣＰＵ（不図示）で検出されると、制御機ＣＰＵから、ドア解錠信号が出力され、このドア解錠信号が第４の伝送路Ｌ４を経由してオートロックドア８へ送出される。これにより、オートロックドア８のロックが解錠され、ひいては、集合住宅のエントランスにおける来客者の通過が可能になる。
【００２６】
次に、以前に当該集合住宅を訪問した来客者（以下「再来客者」という。）が、第１の居住者を呼出すために、カメラ付集合玄関機４の呼出操作部４２で第１の居室機１ａの部屋番号を選択し、集合玄関機呼出ボタンを操作すると、呼出信号（以下「第２の呼出信号」という。）が前述の第１の呼出信号と同様の経路を経由して第１の居室機１ａへ伝送されると共に、集合玄関機カメラ４１によって撮像された再来客者の画像が画像処理され画像データ（以下「第２の画像データ」という。）として集合玄関主装置５、第２の伝送路Ｌ２、制御機６及び第３の伝送路Ｌ３を介してサーバー７へ伝送される。そして、この第２の画像データがサーバーＣＰＵ７４で検出されると、サーバーＣＰＵ７４の制御により、第１のメモリ７２ａから第１の画像・名前データが読み出され、データ識別部７３において、第１の画像・名前データに係る来訪者の第１の画像データと第２の画像データが照合され、両者の画像データの一致が認識されると、サーバーＣＰＵ７４から第２の画像データと共に名前データが出力され、第３の伝送路Ｌ３、制御機６、第１の伝送路Ｌ１及び第１の居室主装置２ａを介して第１の居室機１ａへ送出される。これにより、第１のモニタ１１に再来客者の画像が当該再来客者の名前と共に表示される。
【００２７】
ここで、再来客者が第１の居住者によって来訪拒絶と設定された者である場合は、第１の居室機スピーカから拒絶時の呼出音が放音される。これにより、第１の居住者側において、訪問販売やストーカーなどによる被害を事前に無くすことができ、また、来客等の顔を知らない家族に対しても予め警告をすることができる。なお、この場合、第１の居室機スピーカから拒絶時の呼出音を鳴動させないように設定してもよい。
【００２８】
次に、暗証番号によるオートロックドア８の解錠時におけるセキュリティのチェックついて説明する。
【００２９】
先ず、次のような操作をすることにより、サーバー７に第１の居住者の画像と共にオートロックドア８の暗証番号を保存する。すなわち、第１の居住者がカメラ付集合玄関機４の呼出操作部４２で暗証番号による解錠操作を行うと、カメラ付集合玄関機４から暗証番号解錠信号が前述の第１の呼出信号と同様の経路を経由して第１の居室機１ａへ伝送されると共に、集合玄関機カメラ４１によって撮像された第１の居住者の画像が画像処理され画像データ（以下「第３の画像データ」という。）として前述の第１の画像データと同様の経路を経由して第１の居室機１ａへ伝送される。ここで、第１の居住者の関係者（例えば第１の居住者の配愚者）が第１の居住者の画像を確認し、当該画像に暗証番号データ及び第１の居住者の名前データを付加して登録ボタンを操作すると、第１の居室機１ａから暗証番号データ及び名前データが付加された第１の居住者の画像データ（以下「第１の画像・暗証番号・名前データ」が出力され、この第１の画像・暗証番号・名前データが前述の第１の画像・名前データと同様の経路を経由してサーバー７のデータ送受信部７１へ伝送される。そして、かかる第１の画像・暗証番号・名前データがサーバーＣＰＵ７４で検出されると、サーバーＣＰＵ７４の制御により、第１の居住者の画像が暗証番号データ及び名前データと共に第３のメモリ７２ｃへ保存される。
【００３０】
以上のようにして、第１の居住者の画像を暗証番号データ及び名前データと共に登録した後に、第１の居住者がカメラ付集合玄関機４の呼出操作部４２で暗証番号による解錠操作を行うと、カメラ付集合玄関機４から暗証番号解錠信号が前述の第２の画像データと同様の経路を経由してサーバー７へ伝送されると共に、集合玄関機カメラ４１によって撮像された第１の居住者の画像が画像処理され画像データ（以下「第４の画像データ」という。）として前述の第２の画像データと同様の経路を経由してサーバー７へ伝送される。そして、この第４の画像データがサーバーＣＰＵ７４で検出されると、サーバーＣＰＵ７４の制御により、第３のメモリ７２ｃから第１の画像・暗証番号・名前データが読み出され、データ識別部７３において、第１の画像・暗証番号・名前データに係る第３の画像データ及び暗証番号並びに第４の画像データ及び暗証番号が照合される。この場合、両者の画像データ及び暗証番号が一致することから、サーバーＣＰＵ７４から第４の画像データ及び名前データが出力され、当該第４の画像データ及び名前データが前述の第１の画像・暗証番号・名前データと逆の経路を経由して第１の居室機１ａへ送出される。これにより、第１のモニタ１１に第１の居住者の画像が当該第１の居住者の名前と共に表示される。これにより、暗証番号による解錠操作が適正解錠と判断され、オートロックドア８のロックが解錠される。この場合、第１の居室機スピーカから解錠確認音を放音させるように設定することができ、また、音声合成音で誰が解錠したかを知らせるように設定することもできる。
【００３１】
一方、暗証番号を不正な手段により取得した者（以下「不正取得者」という。）がカメラ付集合玄関機４の呼出操作部４２で暗証番号による解錠操作を行なうと、カメラ付集合玄関機４から暗証番号解錠信号が前述の第２の画像データと同様の経路を経由してサーバー７へ伝送されると共に、集合玄関機カメラ４１によって撮像された不正取得者の画像が画像処理され画像データ（以下「第５の画像データ」という。）として前述の第２の画像データと同様の経路を経由してサーバー７へ伝送される。そして、この第５の画像データがサーバーＣＰＵ７４で検出されると、サーバーＣＰＵ７４の制御により、第３のメモリ７２ｃから第１の画像・暗証番号・名前データが読み出され、データ識別部７３において、第１の画像・暗証番号・名前データに係る第３の画像データ及び暗証番号並びに第５の画像データ及び暗証番号が照合される。この場合、両者の画像データ及び暗証番号が一致しないことから、サーバーＣＰＵ７４から不正取得信号が出力され、当該不正取得信号が第３の伝送路Ｌ３、制御機６及び第４の伝送路Ｌ４を介してオートロックドア８へ送出される。これにより、暗証番号による解錠操作が不正解錠としてチェックされ、不正取得者の通過が阻止される。
【００３２】
このように、暗証番号と共に来訪者の画像をチェックすることにより、オートロックドアの解錠時のセキュリティを向上させることができる。ここで、前述の実施例では、暗証番号によるオートロックドア８の解錠時におけるセキュリティのチェックついて説明しているが、非接触キーや一般キーにコード化されたキー解錠情報を記憶したチップを埋設しておき、当該非接触キーをキー操作部４５に近接させるか若しくは当該一般キーをキー操作部４５に挿入することにより、前述の暗証番号による解錠操作と同様にオートロックドア８の解錠操作をすることができる。
【００３３】
なお、前述の実施例においては、カメラ付集合玄関機で来客等の呼出があった場合について説明しているが、カメラ付玄関子機で来客等の呼出があった場合に、カメラ付玄関子機で撮像された来客等の画像を名前データと共にサーバーに保存するようにしてもよい。また、居室機の設置は２台に限定されずシステムの規模に応じて３台以上設けてもよい。さらに、居室機及び居室主装置並びにカメラ付玄関子機及び集合玄関主装置は、それぞれ別体で構成したものに限定されず、居室機に居室主装置を組み込んで一体化したもの及びカメラ付玄関子機に集合玄関主装置を組み込んで一体化したものを使用してもよい。
【００３４】
【発明の効果】
以上の説明から明らかなように、本発明の集合住宅用インターホンシステムによれば、サーバーに、カメラ付集合玄関機やカメラ付玄関子機で撮像された来客者の名前が画像と共に録画されていることから、居室機のモニタに来客者の画像を名前と共に表示でき、また、居室機のモニタで来客者の履歴などを検索・閲覧することができる。
【図面の簡単な説明】
【図１】本発明の集合住宅用インターホンシステムの一実施例を示すシステム構成図。
【図２】本発明の集合住宅用インターホンシステムにおけるサーバーのブロック図。
【符号の説明】
１ａ、１ｂ…居室機
２ａ、２ｂ…居室主装置
３ａ、３ｂ…カメラ付玄関子機
４…カメラ付集合玄関機
５…集合玄関主装置
６…制御機
７…サーバー
８…オートロックドア
【図１】
2004120521.tif 000003
【図２】
2004120521.tif 000004